(57)【要約】【課題】裏機構枠等の構成を複雑化させることなく遊技盤の上辺中央部が浮き上がることを防止して遊技盤を確実に固定可能な固定装置を得る。【解決手段】遊技盤２０を遊技機の後方から着脱可能に収容して遊技領域をガラス扉５に臨むように配設させる枠部材２の上部に上部固定機構６０が設けられている。上部固定機構６０は収容姿勢に位置した遊技盤２０の裏面側と係脱可能に係合して遊技盤２０を前方に押圧する固定金具６５を有する一方、遊技盤２０の裏面側には遊技盤の裏面よりも前方に位置して固定金具６５の押圧部６５ｃを受容し係合する係止面４１ｃが形成されており、収容された遊技盤２０が固定金具６５により固定されたときに固定金具６５を含む上部固定機構６０が遊技盤２０の裏面よりも前方に配設される。【選択図】　図６
2004024297.tif 000002
【特許請求の範囲】
【請求項１】
遊技釘および入賞具を有して所定の遊技領域が形成された遊技盤と、前記遊技盤を遊技機の裏面側から着脱可能に収容して前記遊技領域をガラス扉に臨むように配設させる枠部材と、前記枠部材に収容されて収容姿勢に位置した前記遊技盤を前記枠部材に固定保持させる固定手段とを備え、前記遊技盤が前記固定手段により前記枠部材に固定された状態で遊技に供される遊技機において、
前記固定手段は前記枠部材の上辺に配設されて前記遊技盤の上部を固定する上部固定機構を備え、
前記上部固定機構には前記収容姿勢に位置した前記遊技盤の裏面側と係脱可能に係合して前記遊技盤を前方に押圧する押圧部材を有し、
前記枠部材には前記押圧部材と対向して前記遊技盤の前面側を支持する前面支持部を有し、
前記遊技盤の裏面側には当該遊技盤の裏面よりも前方に位置し前記押圧部材を受容して係合する係止面が形成されており、
前記収容姿勢に位置した前記遊技盤が前記押圧部材により固定されたときに前記押圧部材を含む前記上部固定機構が前記遊技盤の裏面よりも前方に配設されることを特徴とする遊技盤の固定装置。
【発明の詳細な説明】
【０００１】
【発明の属する技術分野】
本発明は、所定の遊技領域が形成された遊技盤を遊技機の裏面側から着脱可能に収容する枠部材と、この枠部材に収容された遊技盤を収容姿勢に固定保持する固定機構とを備え、固定機構により遊技盤が固定保持された状態で遊技に供される遊技機における遊技盤の固定装置に関する。
【０００２】
【従来の技術】
上記のような遊技機としてパチンコ機、アレンジボール機、いわゆる雀球遊技機などがある。この種の遊技機の代表例として例示されるパチンコ機では、案内レールで囲まれた遊技領域内に多数本の遊技釘や風車、種々の入賞具等が所定のゲージ設定で配設された遊技盤を有し、この遊技盤の遊技領域に打球発射装置から遊技球を打ち出して入賞具に落入させ入賞条件に応じた賞球の払出を受けることで、その賞球の増減を通して遊技を展開するように構成されている。
【０００３】
遊技盤は、上下の球皿や打球発射装置の操作ハンドルなどが設けられた前枠の前面側もしくは裏面側、または、遊技球を貯留するタンク部材や球払出装置などの賞球機構が設けられて前枠の裏側に配設される裏機構枠の前面側もしくは裏面側などに取り付けられ、前枠の前面側に横開き開閉可能に取り付けられたガラス扉を通して遊技領域を遊技者に臨ませるように構成される。
【０００４】
ここで、遊技盤は機種変更時における組み立て工程の対応の迅速化や遊技施設における盤面交換作業の容易化等の要請から着脱交換可能に構成することが望ましい。このため、例えば、遊技盤を遊技機の裏面側から前枠に着脱させる形態（本明細書において便宜的に「前枠後方着脱形態」という）の遊技機にあっては、ガラス扉の背後に位置する前枠の裏面側に遊技盤の外形寸法よりもわずかに大きめな枠寸法を有する額縁状の収容枠を形成して前枠の後方から遊技盤を着脱可能に収容させるとともに、この収容枠に遊技盤を固定する固定機構を設けて収容された遊技盤を固定保持するように構成されている。
【０００５】
そして、収容枠の背後には収容枠に固定保持された遊技盤から排出されるアウト球やセーフ球等の遊技済み球を処理する処理機構や入賞条件に応じて遊技球の払い出し処理を行う球払出装置などの賞球機構等が設けられた裏機構枠が、遊技盤の裏面を覆うように横開き開閉可能に取り付けられ、常には遊技盤の裏面を覆う閉鎖姿勢に保持されて遊技に供される。
【０００６】
【発明が解決しようとする課題】
ここで、裏機構枠には上記のような遊技球の処理機構や賞球機構などが設けらており、固定機構の構成部材が遊技盤の裏面よりも後方に突出して配設されるとこれを回避するために裏機構枠の構成が複雑化するという問題がある。特に、裏機構枠の上部には遊技球を貯留するタンク部材や、タンク部材から供給される遊技球を球払出装置に導く整列樋部材（タンクレールとも称される）などが配設されており、この領域に固定機構が突出して配設されると裏機構枠の構成が複雑化するのみならず、遊技球の円滑な流下を妨げて機能上の問題を生じるおそれもある。このため、従来の遊技機では、一般に遊技盤の固定機構が収容枠の左右枠部に設けられており、例えば左右の枠部に２カ所ずつ固定金具を設けて遊技盤（化粧板）を前方に押圧し、額縁状に形成した収容枠に固定保持させていた。しかしながら、このような従来の固定装置では、遊技盤の上辺中央部の固定が不十分になりやすく、遊技機のなかには遊技盤の上辺中央部が収容枠から浮き上がった不安定な状態で使用されているものも見出されるという問題があった。
【０００７】
本発明は、このような問題に鑑みて成されたものであり、裏機構枠などの構成を複雑化させたり遊技球の流下を妨げたりすることなく、かつ、遊技盤を安定、確実に固定可能な遊技盤の固定装置を提供することを目的とする。
【０００８】
【課題を解決するための手段】
上記目的を達成するため、本発明は、遊技釘および入賞具を有して所定の遊技領域が形成された遊技盤と、この遊技盤を遊技機の裏面側から着脱可能に収容して遊技領域をガラス扉に臨むように配設させる枠部材（例えば実施形態における前枠２）と、枠部材に収容されて収容姿勢に位置した遊技盤を枠部材に固定保持させる固定手段とを備え、遊技盤が固定手段により枠部材に固定された状態で遊技に供される遊技機における遊技盤の固定装置に関するものである。そのうえで、上記固定手段は枠部材の上辺に配設されて遊技盤の上部を固定する上部固定機構（例えば実施形態における仮支持固定機構６０）を備えており、この上部固定機構には収容姿勢に位置した遊技盤の裏面側と係脱可能に係合して遊技盤を前方に押圧する押圧部材（例えば実施形態における固定金具６５）を有する一方、枠部材には押圧部材と対向して遊技盤の前面側を支持する前面支持部を有している。遊技盤の裏面側には当該遊技盤の裏面よりも前方に位置し押圧部材を受容して係合する係止面が形成されており、収容姿勢に位置した遊技盤が押圧部材により固定されたときに押圧部材を含む上部固定機構が遊技盤の裏面よりも前方に配設されるように遊技盤の固定装置を構成する。
【０００９】
上記構成の固定装置では、枠部材の上辺に遊技盤の上部を固定する上部固定機構を備えており、この上部固定機構に設けられた押圧部材が収容姿勢に位置した遊技盤の裏面側の係止面と係脱可能に係合して遊技盤を前方に押圧し遊技盤の上辺中央部を固定する。このため、遊技盤の上辺中央部が枠部材から浮き上がるようなことがなく、遊技盤を安定、確実に固定することができる。また、遊技盤の裏面側に形成された係止面は遊技盤の裏面よりも前方に位置して形成され、遊技盤が押圧部材により固定されたときに押圧部材を含む上部固定機構が遊技盤の裏面よりも前方に（すなわち遊技盤の裏面よりも後方に突出することなく）配設される。このため、遊技盤の背後に配設される裏機構枠等の構成を複雑化させたり遊技球の流下を妨げたりすることない固定装置を提供することができる。
【００１０】
なお、上記「枠部材」とは、遊技盤を着脱可能に収容して遊技領域をガラス扉に臨むように配設させる部材をいい、例えば、遊技盤を収容する収容枠が前枠の裏面側に設けられる場合（前枠前方着脱形態の遊技機）における前枠や、収容枠が裏機構枠の裏面側に設けられる場合（裏機構枠後方着脱形態の遊技機）における裏機構枠などをいう。また「収容姿勢」とは遊技盤を枠部材の内側に位置させた姿勢をいい、遊技盤を枠部材の内部に位置させた収容姿勢から、固定手段によって遊技盤を固定保持させる過程で押圧力等により遊技盤が一定程度変位するような場合における変位前の姿勢を含む概念である。
【００１１】
【発明の実施の形態】
以下、本発明の好ましい実施形態について図面を参照しながら説明する。本発明に係る遊技盤の固定装置を備えた遊技機の代表例として、遊技盤を遊技機の裏面側から前枠の裏面側に着脱する前枠後方着脱形態のパチンコ機ＰＭを図１および図２に示しており、まず、これら両図を参照しながらパチンコ機ＰＭの全体構成について要約説明する。ここで、図１はパチンコ機ＰＭを正面側から見た正面図、図２はパチンコ機ＰＭを裏面側から見た背面図である。なお、図２では遊技盤の裏面中央部の記載を省略している。
【００１２】
パチンコ機ＰＭは、外郭方形枠サイズに構成されて縦向きの固定保持枠をなす外枠１の開口前面に、これに合わせた方形枠サイズに構成されて開閉搭載枠をなす前枠２が互いの左側縁に配設された上下のヒンジ機構３ａ，３ｂにより横開き開閉および着脱が可能に取り付けられ、常には右側縁に設けられた施錠装置４を利用して外枠１に閉鎖施錠された状態で保持される。
【００１３】
前枠２の正面側には、前枠２の前面域に合わせた方形状のガラス扉５と、遊技球を貯留する球皿部を有して横長方形状の上球皿６とが、ともに左側縁に内蔵されたヒンジ機構により横開き開閉および着脱が可能に組付けられ、常には施錠装置４および図示省略するロック機構を利用して前枠２の前面を覆う閉止状態で保持される。ガラス扉５の中央部にはポリカーボネート板やガラス板等の透明板材５ａ，５ｂが取り付けられており、背後に位置する遊技盤２０を透視可能になっている。前枠２の下部には遊技球を貯留する下球皿７設けられ、この下球皿７と並んで遊技球の発射操作を行う操作ハンドル８が取り付けられている。
【００１４】
前枠２の上部には、後に詳述する収容枠１０が形成されており、この収容枠１０に遊技盤２０が固定保持されてその前面域がガラス扉５に臨むように配設される。遊技盤２０は所定形状にルータ加工された厚さ１９ｍｍ程度の積層合板の表面にセルを貼り付けた化粧板（ベニヤとも称される）２１を基板として構成される。化粧板２１の前面側には、帯状の外レール２４ａおよび内レール２４ｂが円弧状に固設され、これらの案内レール２４ａ，２４ｂで囲まれた内側に遊技領域ＰＡが区画される。遊技領域ＰＡには、多数本の遊技釘とともにランプ風車２５ａや一般風車２５ｂ等の風車２５、一般入賞具２６ａや始動入賞具２６ｂ並びに大入賞口を備えたアタッカー２６ｃ等の入賞具２６、および遊技の進行状況に応じて所定の図柄を表示させる図柄表示装置２８などが取り付けられ、遊技領域ＰＡの下端には入賞具２６に入賞せずに落下した遊技球を遊技盤２０の裏面側に排出させるアウト口２７が設けられている。案内レール２４ａ，２４ｂの外側には効果照明を行うためのランプ具２３が取り付けられている。
【００１５】
前枠２の裏面下部には、遊技球を外レール２４ａに向けて発射する打球発射装置９、および操作ハンドル８の回動操作を受けて打球発射装置９の作動を制御する発射装置制御基板Ｂ２が取り付けられている。前枠２の上下中間領域には遊技補助盤と称される補助機構部１５が形成され、その前面側に打球発射装置９によって打ち出された遊技球を外レール２４ａに案内する発射レールや、遊技領域ＰＡに到達できずに打球発射装置９側に戻ってきたファール球を下球皿７に排出させるファール球回収経路部材、遊技の展開状況に応じた効果音を発生させるスピーカなどが取り付けられている。遊技補助盤１５は上球皿６の背後に位置しており、常には閉鎖保持される上球皿６によりその前面側が覆われている。
【００１６】
前枠２の背後に位置して、裏セット盤（裏機構盤とも称される）３０が取り付けられる。裏セット盤３０は、外枠１の内寸サイズよりも幾分小さめの方形状をなし中央に表裏貫通する窓口３１ｗを有して一体成形された基枠体３１をベースとして構成される。
【００１７】
裏セット盤３０には、窓口３１ｗを取り囲むようにして賞球を払い出すための賞球装置や遊技球の処理経路が設けられる。すなわち、基枠体３１の裏面側には、遊技球の貯留・供給を行うタンク部材３５、タンク部材３５から供給される遊技球を整列させて流下させる整列樋部材３６、整列樋部材から供給される遊技球を受けて所定数量の遊技球を待機保持させる賞球待機通路３７、賞球待機通路３７に待機された遊技球を所定の入賞条件等に基づいて払い出す球払出装置３８、球払出装置３８から払い出された遊技球を上下の球皿６，７に導く賞球払出経路３９などの賞球装置よび賞球経路が設けられている。
【００１８】
一方、基枠体３１の前面側には、窓口３１ｗの下方に位置して遊技盤２０の裏面側に排出されたアウト球およびセーフ球などを集合させる集合経路が形成され、基枠体３１の裏面側には集合経路と繋がって集合された遊技球を遊技施設側の回収バケットに排出させる球排出経路が形成されている。裏セット盤３０は、基枠体３１および前枠２の側縁部上下に取り付けられたヒンジ機構３２，３３を介して前枠２の背後に横開き開閉および着脱が可能に装備され、常には３カ所の閉鎖レバー３４を利用して前枠２の背面および化粧板２１の背面を覆うように閉鎖保持される。
【００１９】
また、裏セット盤３０の裏面各部には、パチンコ機ＰＭの作動を統括的に制御するメイン基板Ｂ１や、メイン基板Ｂ１からの指令信号に基づいて球払出装置の作動制御を行う球払出基板Ｂ３、効果照明や効果音の作動制御を行うランプ・音声制御基板Ｂ４、これらの制御基板や各種電子機器等に電力を供給する電源基板Ｂ５などの回路基板が着脱交換可能に取り付けられ、各回路基板や電子機器が図示しないワイヤーハーネスで接続されてパチンコ機ＰＭが構成される。
【００２０】
パチンコ機ＰＭは、ガラス扉５、上球皿６、裏セット盤３０等がそれぞれ閉鎖され、前枠２が外枠１に閉鎖施錠された状態で遊技に供される。遊技は上球皿６に遊技球を貯留させて操作ハンドル８を回動操作することにより開始され、上球皿６に貯留された遊技球が１球ずつ打球発射装置９に送られ操作ハンドル８の回動操作角度に応じた強度で遊技領域ＰＡに打ち出されてパチンコゲームが展開される。
【００２１】
このように概要構成されるパチンコ機ＰＭにあって、図３に、裏セット盤３０を取り外した状態の前枠２の背面図を示すように、前枠２の上部に遊技盤２０を収容する収容枠１０が形成され、この収容枠１０に遊技盤２０を係止する係止機構５０、収容された遊技盤２０を収容姿勢で仮止め支持および固定する仮支持固定機構６０、収容された遊技盤２０を固定する固定機構８０が設けられている。これらの各機構５０，６０，８０は常には閉鎖施錠されるガラス扉５、上球皿６にその前面域が覆われる位置に配設されており、外観上パチンコ機の意匠に影響を与えることなく、また遊技者に各機構を認識させない構成となっている。
【００２２】
収容枠１０は、遊技盤２０を取り囲むように形成された上方枠部１１、下方枠部１２、右方枠部１３および左方枠部１４からなる。各枠部の前方には化粧板２１の前面を支持する額縁状の前面支持部１１ａ，１２ａ，１３ａ，１４ａが形成されるとともに、上方枠部１１を除く各枠部には前枠２の前面側から後方に延びて化粧板２１の下縁および左右側縁を３方から取り囲む壁面状の端面支持部１２ｂ，１３ｂ，１４ｂが形成されている。左右の端面支持部１３ｂ，１４ｂの内面間隔は遊技盤２０の幅寸法よりも１〜２ｍｍ程度大きく形成されており、遊技盤２０を前枠２の裏面側から受容して３方の端面支持部の内側に着脱可能に収容し、後述する係止機構５０、仮止め固定機構６０および固定機構８０により前面支持部との間に化粧板２１を挟持するようにして遊技盤２０を収容枠１０に固定保持する。
【００２３】
このように構成される収容枠１０にあって、下方枠部１２の左右２カ所に係止機構５０が配設されている。図３中の矢印ＩＶ−ＩＶ方向に見た係止機構５０近傍の側断面図を図４に、この機構５０を収容枠１０の裏面側から見た斜視図を図５に示しており、以下、これらの図面を参照しつつ係止機構５０について説明する。
【００２４】
係止機構５０は、遊技補助盤１５に固定されて端面支持部１２ｂの後部上方に突出する係止金具５１を主体として構成される。係止金具５１は上下方向に延びネジ５８を挿通させる取付孔が穿設された固定辺部５１ａ、固定辺部５１ａの上部が直角に折り曲げられて水平に延びる当接辺部５１ｂ、当接辺部の後方が直角に上向きに折り曲げられて上方に延びる係止辺部５１ｃなどからなり、側面視クランク状に形成されている。
【００２５】
一方、係止金具５１が取り付けられる遊技補助盤１５には、端面支持部１２ｂの下方に位置して固定辺部５１ａを支持する円筒状のボス１２ｃが形成され、その中心にネジ５８を受容するネジ受容部が形成されている。係止金具５１における各辺部５１ａ，５１ｂ，５１ｃの形状寸法は、下方枠部１２およびボス１２ｃとの相対関係に基づいて設定されており、図４に示すようにボス１２ｃに係止金具５１を固定したときに、当接辺部５１ｂの上面が端面支持部１２ｂの下面に当接し、上方に突出する係止辺部５１ｃの前面が前面支持部１２ａとの間に化粧板２１の板厚と同一（またはわずかに小さめ）の間隔をおいて対峙するように設定されている。
【００２６】
また、係止辺部５１ｃの上部は緩やかに後方に曲げ成形されており、化粧板２１の下端部を滑らかに受容して案内するとともに、化粧板２１にすり傷等の損傷を生じさせないようになっている。係止金具５１は、板厚１〜２ｍｍ程度のステンレス鋼板や冷間圧延鋼板等の金属材料をパンチングやベンディング、プレス成形等の公知の加工手段を用いて図示する形状に成型し、必要に応じて所要の表面処理を施して形成する。
【００２７】
係止金具５１は、当接辺部５１ｂの上面を端面支持部１２ｂの下面に当接させ、固定辺部５１ａの前面をボス１２ｃの端面に当接させるように支持させて、固定辺部５１ａの後方からネジ５８をボス１２ｃのネジ受容部に螺合させて締め込むことで遊技補助盤１５に取り付けられる。こうして係止金具５１が取り付けられると、係止辺部５１ｃが端面支持部１２ｂの後方で前面支持部と対峙するように上向きに突出し、係止辺部５１ｃの前面と前面支持部１２ａの支持面との間に化粧板２１の板厚と略同一の前後方向寸法を有した収容空間が形成される。
【００２８】
このように構成される係止機構５０に遊技盤２０を装着する作業は、外枠１に対して前枠２を開放させ、また前枠２に対して裏セット盤３０を開放させた状態で、前枠２の裏面側から行う。作業者は遊技盤２０の後方から化粧板２１の左右側縁部を把持して遊技盤２０をわずかに後傾姿勢に支持し、化粧板２１の下端部を係止辺部５１ｃの上方から収容枠１０内に斜めに挿入する。
【００２９】
ここで、係止辺部５１ｃの高さは下方枠部１２における前面支持部１２ａの上端よりも低くなるように設定している。このため、化粧板２１を左右の端面支持部１３ｂ，１４ｂに沿わせて収容枠１０内に斜めに挿入したときに、まず化粧板２１の前面側の下端部が前面支持部に係合してガイドされ、そのまま化粧板２１を下方にスライド移動させることで、左右２カ所の係止辺部５１ｃを化粧板２１の適正位置に係合させることができる。係止辺部５１ｃの上端部は前方に向けて緩やかに曲げ成形されているため、下方にスライド移動された化粧板２１はその下端部が滑らかに端面支持部１２ｂに向けて導かれ、また係止辺部５１ｃが後方に弾性変形して化粧板２１を傾斜姿勢で受容する。これにより、遊技盤２０が後傾姿勢で端面支持部１２ｂ上に弾性的に支持される。
【００３０】
また、化粧板２１の前面側の下端角部は斜めにカットされて逃げ面４２ｅが形成されており、遊技盤２０を傾斜させた姿勢で容易に挿抜できるとともに、係止金具５１に無理な応力を発生させないようになっている。さらに、係止金具５１には当接辺部５１ｂが形成され端面支持部１２ｂの下面に当接支持されるように構成されている。このため、係止辺部５１ｃを後方に傾ける力が作用して弾性変形したときに、相対的に上向きに揺動される当接辺部５１ｂがこの力を下方枠部１２に伝達して支持させ、固定辺部５１ａに作用する力を軽減させるように作用する。従って、ネジ５８を介してボス１２ｃに過大な曲げモーメントや引っ張り力が作用しにくく、ボス１２ｃの破断やネジ受容部の損傷等を生じにくい構成になっている。また、係止金具５１を屈曲形成して遊技補助盤に固定することにより、係止金具を直接端面支持部に取り付ける構成と比較して弾性変形可能な領域長を長く取ることができ、柔軟かつ塑性変形しにくい係止機構を小型に構成することができる。
【００３１】
なお、実施例では係止金具における係止辺部５１ｃを当接辺部５１ｂに対して直角に折り曲げ、前面支持部１２ａとの間に化粧板２１の板厚と略同一の間隔を有して鉛直上方に突出させる形態を例示したが、係止機構５０は係る形態に限定されるものではなく、化粧板２１の下端部を係止可能なものであればよい。例えば、実施例と同様の係止金具を配設する場合にあっては、係止辺部の下部で前面支持部１２ａとの間に化粧板２１の板厚よりも幾分大きめの間隔を有し、係止辺部の上部で前面支持部１２ａとの間に化粧板２１の板厚よりも幾分小さめの間隔を有するように係止辺部５１ｃを当接辺部５１ｂに対して直角よりも小さい角度に折り曲げ、やや前傾姿勢で突出させる形態としてもよい。このような形態の係止機構では、化粧板２１の板厚に多少のばらつきがあっても係止金具が弾性的に吸収し、化粧板との間に隙間が生じたりボス１２ｃに過大な負荷を作用させたりすることがない。
【００３２】
以上のように構成される左右の係止機構５０と対峙する上方枠部１１の中央部に遊技盤２０を収容姿勢で仮止め支持し、また固定する仮支持固定機構６０が設けられている。仮支持固定機構６０の構成および作用を図６〜図１１に示しており、以下これらの各図を参照しながら仮支持固定機構６０について説明する。
【００３３】
ここで、図６は図３中の矢印ＶＩ−ＶＩに沿った断面図であって遊技盤２０を収容枠１０に固定保持させた状態における仮支持固定機構６０近傍部の側断面図、図７は仮支持固定機構６０の主要構成部材を分解状態で示す斜視図、図８は遊技盤２０を収容枠１０に固定保持させた状態における仮支持固定機構６０の平面図、図９および図１０は仮支持固定機構６０を前枠２の裏面側から見た背面図であり、このうち図９は固定金具を開放位置に位置させ仮止め金具を仮止め位置に位置させて遊技盤２０を仮止め支持させた状態の背面図、図１０は固定金具を固定位置に位置させて遊技盤２０を固定保持させた状態の背面図である。また、図１１は仮止め金具を仮止め位置に位置させて遊技盤２０を着脱させる過程を示す説明図（側断面図）である。
【００３４】
仮支持固定機構６０は、前枠２の裏面側から上方枠部１１に固定される支柱６１、支柱６１に揺動変位可能に支持される仮止め金具６３、支柱６１に仮止め金具６３と一体的に揺動変位可能に支持される固定金具６５、仮止め金具６３および固定金具６５を前方に付勢するコイルバネ６６、支柱６１の後端部に形成された雄ネジ部に螺合締結されてコイルバネ６６を圧縮し仮止め金具６３および固定金具６５を前方に付勢させて取り付ける座付きの袋ナット６７などから構成される。
【００３５】
支柱６１は、前端側にローレット部（不図示）、中間に仮止め金具６３や固定金具６５およびコイルバネ６６を相対回転自在に支持する支軸部、後端側に袋ナット６７と螺合する雄ネジ部が形成されてスタッドボルトないしアンカーボルト状の形態をなし、前端側のローレット部が上方枠部１１の上部中央に形成された固定ボス１１ｃに打ち込まれて圧入固定される。支柱６１は、例えば軟鋼等の所定線径の金属棒材を旋削や転造等の加工手段により成形し、必要に応じて所要の表面処理を施して形成する。
【００３６】
仮止め金具６３は、中心に支柱６１の支軸部を挿通させる係合孔を有して丸形端子状に形成されたリング部６３ａ、リング部６３ａから所定幅で外方に延出されて折り曲げられ後方にカンチレバー状に延びる揺動アーム部６３ｂ、揺動アーム部６３ｂの先端側が多段に折り曲げられて形成された係合部（係止辺部６３ｃ、中間辺部６３ｄ、導入辺部６３ｅ）などの各部から構成される。仮止め金具６３は、板厚０．５〜１ｍｍ程度の冷間圧延鋼板やバネ鋼板、ステンレス鋼板等の金属材料をプレス成形等の公知の加工手段を用いて図示する形状に成型し、必要に応じて所要の表面処理を施して形成する。なお仮止め金具６３の板厚および揺動アーム部の幅は使用する金属材料のヤング率や揺動アーム部の長さ等に基づいて所定のバネ定数となるように設定されており、揺動アーム部６３ｂが適当な弾性力を有して板厚直交方向に揺動変位可能に構成されている。
【００３７】
固定金具６５は、支柱６１を挿通させるカラー６５ｋがカシメ圧着されたベース部６５ａ、ベース部６５ａから延出された一端が折り曲げられて後方に延びるクランプアーム６５ｂ、クランプアーム６５ｂの後端側が外向きに直角に折り曲げられて舌片状に外方に延びるとともに先端部が緩やかに後方に曲げ成形された押圧部６５ｃ、ベース部６５ａから押圧部６５ｃの延びる方向と直交する外方に延出されその上縁部が後方に折り曲げられて操作辺が形成されたクランプレバー６５ｅなどから構成され、板厚２〜３ｍｍ程度の冷間圧延鋼板等の金属材料をプレス成形等の公知の加工手段を用いて図示する形状に成型し、カラー６５ｋをカシメ圧着した後必要に応じて所要の表面処理を施して形成する。
【００３８】
このようにして各々形成した仮止め金具６３と固定金具６５とを、治具により相対位置を位置決めした状態で、電気抵抗溶接や圧接、ロウ付け等の接合手段により一体的に接合する。すなわち、仮止め金具６３におけるリング部６３ａの係合孔と固定金具６５におけるカラー６５ｋの軸心とを芯合わせし、かつ背面視において軸心を中心に係合部（係止辺部６３ｃ等）が延びる方向とクランプレバー６５ｅの延びる方向とが直線状に並び、係合部が延びる方向と押圧部６５ｃが延びる方向とが直交するように位置決めした状態で、上記のような接合手段により一体的に接合する。
【００３９】
一方、上方枠部１１の上部中央には前枠２から後方に延びて円柱状の固定ボス１１ｃが立設されており、その中心に支柱６１のローレット部を受容して固定する支柱固定穴が形成されている。固定ボス１１ｃの後端位置（座面の形成位置）は上方枠部１１における前面支持部１１ａの支持面よりも前方に設定され、固定ボス１１ｃに支柱６１を圧入固定して仮支持固定機構６０を組み付けたときに、袋ナット６７や仮止め金具６３等の仮支持固定機構の構成部材が化粧板２１の裏面よりも後方に突出しないように構成されている。なお、上方枠部１１の後端面には固定金具６５を固定位置まで回動させたときにクランプレバー６５ｅを受容して収容するレバー収容部１１ｅが形成されている。
【００４０】
仮支持固定機構６０は、前枠２の裏面側から支柱６１の前端側のローレット部を固定ボス１１ｃの支柱固定穴に打ち込んで圧入固定させ、後方に突出する支軸部に、一体化された仮止め金具６３および固定金具６５の係合孔およびカラー６５ｋを挿通させ、後方からコイルバネ６６を係合させて支持させ、雄ネジ部に袋ナット６７を螺合させて締め付けることにより上方枠部１１に取り付けられる。これにより、仮止め金具６３と固定金具６５とがコイルバネ６６により所定の付勢力で前方に付勢されつつ支柱６１の軸まわりに一体的に揺動可能に取り付けられる。
【００４１】
こうして仮止め金具６３および固定金具６５が取り付けられると、前枠２の裏面側からクランプレバー６５ｅを回動操作することで、固定金具６５の押圧部を下方に突出させて収容姿勢に位置する化粧板２１を固定する固定位置（図１０の状態）と、上方に待避させて化粧板２１との係合を解除する開放位置（図９の状態）とに揺動変位させることができる。また、固定金具６５を開放位置に位置させたときには、仮止め金具６３の係合部が下方に突出する仮止め位置に配設され、遊技盤２０を収容枠１０に着脱可能に収容するとともに、収容された化粧板２１の裏面側と係合して遊技盤２０を収容姿勢で仮止め支持する。
【００４２】
一方、化粧板２１の上縁中央部は仮支持固定機構６０の配設位置に合わせて凹状に切り込まれ、仮支持固定機構６０の主要部を収容する機構収容部４０が形成されるとともに、この機構収容部４０の底部に仮止め金具６３および固定金具６５と係脱可能に係合する機構係合部４１が形成されている。機構係合部４１は、上方枠部の前面支持部１１ａに当接して支持される被支持面４１ａ、前後に水平に延びる案内面４１ｂ、化粧板２１の裏面側がザグリ加工されて化粧板の裏面よりも前方に位置する係止面４１ｃ、被支持面４１ａと案内面４１ｂとが交わる角部が斜めにカットされて斜面状に形成された導入面４１ｅ、案内面４１ｂと係止面４１ｃとの間に斜面状に形成された導出面４１ｆなどから構成される。
【００４３】
ここで、導入面４１ｅは、係止機構５０に化粧板２１の下端部を係合させて遊技盤２０を閉鎖方向に揺動させたときに、仮止め位置にある仮止め金具の導入辺部６３ｅと当接し、導入辺部６３ｅが導入面４１ｅに乗り上げられるように形成されている。また、係止面４１ｃは、仮止め金具の係合部の配設位置および固定金具の押圧部６５ｃの配設位置との相対関係に基づいて形成され、係止金具６３ｃの後端部あるいは固定金具６５の後端部が化粧板２１の裏面よりも後方に突出しないように、化粧板２１の裏面を所定深さでザグリ加工して形成している。
【００４４】
なお逆説的には、仮止め金具の係止辺部６３ｃの形成位置および固定金具の押圧部６５ｃの形成位置が係止面４１ｃの形成位置を基準として設定されており、押圧部６５ｃの前面の配設位置が収容姿勢に位置させた係止面４１ｃの配設位置よりも幾分前方になるように設定され、押圧部６５ｃを係止面４１ｃに係合させたときに、押圧部６５ｃが係止面４１ｃに乗り上げてわずかに後方に移動しコイルバネ６６の弾性力で化粧板を前方に押圧するように設定される。また、係止辺部６３ｃの前面の配設位置は、収容姿勢に位置させた係止面４１ｃの配設位置よりも幾分後方に設定され、仮止め金具６３を仮止め位置（固定金具６５を開放位置）に位置させて遊技盤２０を収容させたときに係止辺部６３ｃが係止面４１ｃに確実に係合するように設定されている。
【００４５】
さて、以上のように構成される仮支持固定機構６０の作用について、まず遊技盤２０を収容枠１０に装着する場合から説明する。
【００４６】
作業者は、外枠１に対して前枠２を開放させ、また前枠２に対して裏セット盤３０を開放させた状態で、前枠２の裏面側からクランプレバー６５ｅを反時計回りに回動操作し、固定金具の押圧部６５ｃを上方に揺動待避させた開放位置に位置させる。このとき、仮止め金具の揺動アーム部６３ｂが下向きに配設され、アーム部先端の係合部（係止辺部６３ｃ，中間辺部６３ｄ，導入辺部６３ｅ）が仮止め位置に配設される（図９を参照）。なお、後述する左右の固定機構８０についてもクランプレバー６５ｅを反時計回りに回動操作して固定金具の押圧部６５ｃを枠部の外方に揺動待避させておく。
【００４７】
そして、既述した係止機構５０を利用して化粧板２１の下端部を収容枠１０に斜めに挿入して係止金具５１に係合させ、遊技盤２０を後傾姿勢で下方枠部１１上に弾性的に支持させる。この状態で作業者が後傾方向への力を弱めると係止金具５１の弾性力により遊技盤２０の上部が前方に揺動され、図１１中に二点鎖線で付記するように、化粧板２１の上部に形成された機構係合部４１の導入面４１ｅが仮止め金具６３の導入辺部６３ｅに当接した仮支持姿勢に支持される。
【００４８】
この仮支持姿勢から作業者が遊技盤２０の上部を前方に押圧すると、前方に移動する導入面４１ｅに案内されて導入辺部６３ｅが導入面４１ｅ上を滑るように上動し、揺動アーム部６３ｂが上方に揺動されて化粧板２１の進入を許容する。導入辺部６３ｅが導入面４１ｅの上端まで到達すると、今度は中間辺部６３ｄが案内面４１ｂに係合し、前方に移動する案内面４１ｂの上を滑るようにして化粧板２１を受容する。そして、係止面４１ｃが係止辺部６３ｃの前端面と整合する収容位置まで移動され、導出面４１ｆと中間辺部６３ｄとの係合が解除されると、上方に弾性変形していた揺動アーム部６３ｂが弾性力によって下方に自己復帰し、係止辺部６３ｃが係止面４１ｃを滑り降りるように変位して係止辺部６３ｃと係止面４１ｃとが係合する。またこのとき、化粧板の被支持面４１ａが上方枠部の前面支持部１１ａに当接し、遊技盤２０が収容姿勢で収容枠１０に仮止めされる。
【００４９】
この仮止め状態では、仮止め金具６３の係止辺部６３ｃが化粧板２１の係止面４１ｃと係合して化粧板２１を前面支持部１１ａとの間に挟持するように保持しており、作業者が化粧板２１を前方に押圧する押圧力を解放しても遊技盤２０が収容姿勢のまま維持される（図１１および図９を参照）。このため、遊技盤２０が収容枠１０から倒れ出たて来たり滑り出て来るようなことがない。
【００５０】
このようにして遊技盤２０が仮止めされたのち、作業者はクランプレバー６５ｅを時計回りに回動操作する。クランプレバー６５ｅが回動されると仮止め金具６３の係合部（係止辺部６３ｃ，中間辺部６３ｄ，導入辺部６３ｅ）が円弧軌跡を描いて上動するとともに、固定金具６５の押圧部６５ｃが円弧軌跡を描いて下動し、まず押圧部６５ｃの先端側に後方に緩やかに曲げ成形された曲面領域が係止面４１ｃと滑らかに係合する。さらにクランプレバー６５ｅが回動されると、仮止め金具の係止辺部６３ｃと係止面４１ｃとの係合が解除される一方で、押圧部先端側の曲面領域が下動するに伴って押圧部基端側の平坦領域が係止面４１ｃに乗り上げるようにして係合し、コイルバネ６６を圧縮変形させながら固定金具６５（および仮止め金具６３）が支柱６１に沿ってわずかに後方に移動して移動量に応じた弾性力で化粧板２１を前方に押圧する。
【００５１】
そして、固定金具のクランプレバー６５ｅがクランプレバー収容部１１ｅに収容されてレバー部が水平に延びる固定位置まで回動されると、仮止め金具６３が機構収容部４０に水平に格納され、固定金具の押圧部６５ｃがコイルバネ６６の弾性力で化粧板２１を前方に押圧して前面支持部１１ａとの間に化粧板２１を挟持し、遊技盤２０を収容枠１０に固定保持する（図６、図８および図１０を参照）。
【００５２】
こうして遊技盤２０が収容枠１０に固定保持された状態では、図１０に示すように仮支持固定機構６０のほぼ全体が化粧板２１に形成された機構収容部４０内に収容され、かつ、図６および図８に示すように仮止め金具６３、固定金具６５、袋ナット６７などの構成部材を含む仮支持機構６０全体が固定保持された化粧板２１の裏面よりも前方に配設される。このため、この収容枠１０の後方に閉鎖される裏セット盤３０の構成、特に本機構の直後に配設されるタンク部材３５周辺の構成を複雑化させたり流下する遊技球の流れを妨げたりすることなく、化粧板の上辺を安定確実に固定保持できる構成を実現している。
【００５３】
一方、収容枠１０に固定保持された遊技盤２０を取り外す際には、前枠後方からクランプレバー６５ｅを反時計回りに回動操作する。
【００５４】
クランプレバー６５ｅが反時計回りに回動されると、固定金具６５の押圧部６５ｃが円弧軌跡を描いて上動するとともに、これに伴って仮止め金具６３の係合部が円弧軌跡を描いて下動し、まず仮止め金具における係止辺部６３ｃが化粧板の係止面４１ｃの後方に部分的にかかるように移動する。さらにクランプレバー６５ｅが回動されると、係止辺部６３ｃのほぼ全面が係止面４１ｃの後方に移動する一方、押圧部６５ｃが上動してその曲面領域と係止面４１ｃとの係合が徐々に解除され、これに伴って仮止め金具６３のリング部６３ａが固定ボス１１ｃの座面に当接する位置まで固定金具６５および仮止め金具６３が徐々に前方に移動する。
【００５５】
そして、クランプレバー６５ｅが鉛直上方を向く開放位置まで揺動されると、押圧部６５ｃが機構収容部４０内に水平に収容されるとともに、仮止め金具６３の係合部が鉛直下方に延びる仮止め位置に配設され、仮止め金具の係止辺部６３ｃが係止面４１と係合して遊技盤２０を収容枠１０に仮止め支持する（図９および図１１を参照）。このため、作業者が開放作業中に遊技盤２０を押圧していなくても、遊技盤２０が収容枠１０から倒れ出て来たり滑り出て来るようなことがなく、固定金具６５を開放位置に位置させたときにも遊技盤２０が収容枠１０に仮止めされた仮止め姿勢で保持される。
【００５６】
次いで、この仮止め姿勢から、例えば化粧板２１の裏面側に取り付けられた遊技済み球回収カバーや画像制御装置ケース（ともに不図示）などに指をかけて化粧板２１を後方に引き出す。このとき、遊技盤２０は化粧板２１の前面下端部が係止金具５１によって係止されているため、当該係止部を中心として後方に傾動しようとする。このため係止面４１ｃと係合状態にある係止辺部６３ｃが後方に引かれて揺動アーム部６３ｂの基端側を中心にアーム部先端側が上方に揺動される。
【００５７】
そして、係止辺部６３の下端角部が係止面４１ｃの上端を越えて導出面４１ｆに達すると、係止辺部６１ｃの下端角部はこの斜面状の導出面４１ｆに案内されて揺動アーム部６３ｂを上方に揺動させながら滑るように案内面４１ｂに至り、案内面４１ｂおよび導入面４１ｅをなぞるように通過させて、図１１中に二点鎖線で付記する仮止め前の状態になる。この状態では化粧板２１の下端部が止金具５１に弾性的に支持された仮支持姿勢にあり、遊技盤２０の裏面側を支えていなくても遊技盤が倒れ出てくることがない。そこで、作業者は遊技盤２０を搬出するに適宜な位置を両手で把持し、化粧板２１を斜め上方に引き出すことで遊技盤２０を取り外すことができる。
【００５８】
このように、本構成のパチンコ機ＰＭ遊では、遊技盤２０を係止機構５０に係止させたときに遊技盤２０が収容方向に付勢された仮支持姿勢に係止されるとともに、遊技盤２０を収容枠１０に収容させたときに仮支持固定機構６０によって収容姿勢に仮止めされ、固定金具６５による固定が解除された状態でも遊技盤が収容姿勢に維持される。このため、遊技盤の着脱作業時に、収容枠１０に収容させた遊技盤２０を支えていなくても遊技盤２０が倒れ出てきたり滑り出て来るようなことがなく、従って遊技盤を落下させ、あるいは遊技盤の裏面側に接続したコネクタケーブルを破損させるおそれを未然に防止して、非熟練者でも容易かつ安全に遊技盤の着脱交換を行うことができる。
【００５９】
なお、実施例では、化粧板２１の上下辺の浮き上がり防止、遊技盤の着脱作業の容易さや係止機構５０による遊技盤２０の仮支持姿勢の安定化、および下方枠部１２に配設される機構構成の簡明化などの観点から、係止機構５０を収容枠１０における下方枠部１２に設け、仮支持固定機構６０を上方枠部１１に設けた例を示したが、これらの各機構は係止機構５０と仮支持固定機構６０とが対峙する枠部に配設される位置関係であれば適宜に変更して設けることができ、例えば、上下の配設位置関係を逆に構成し、あるいは左右の枠部に対峙するように配設して構成することも可能である。
【００６０】
また実施例では、固定金具６５の押圧部が延びる方向と仮止め金具６３の係合部が延びる方向とが直交するように接合してこれらを支柱６１に回転揺動可能に支持させ、固定金具６５に形成されたクランプレバー６５ｅを回動操作することで両金具を一体的に揺動変位させて、固定金具６５の開放位置で仮止め金具６３が仮止め位置に配設される形態を例示したが、固定金具と仮止め金具とが一体的に変位して固定金具の開放位置で仮止め金具が仮止め位置になるように構成するものであればよく、両金具が延びる方向の相対角度や操作形態、変位形態等を適宜変更して構成することができる。例えば、下方に突出する係止辺部を形成した固定金具を上方枠部に左右方向にスライド移動可能に配設する一方、化粧板の上部に係止辺部と係脱可能な開放溝を前後に延びて形成し、係合位置で係止辺部と化粧板の係止面とが係合して遊技盤を固定し、開放位置で係止辺部と開放溝とが位置整合して遊技盤を前後に通過可能に構成するとともに、固定金具に既述したと同様の仮止め金具を固定して固定金具とともにスライド移動可能に配設し、化粧板の上部に既述したと同様な機構係合部を形成するような形態であっても同様の作用、効果を得ることができる。
【００６１】
次に、収容枠１０における左右の枠部１３，１４に配設される固定機構８０について図１２および図１３を参照して説明する。なお、固定機構８０は、仮止め金具６３を除いて既述した仮支持固定機構６０と共通の部材を用いて構成しており、また左右の固定機構は支柱６１を中心に軸対称に構成されている。そこで、以下では右方枠部１３に配設される固定機構８０を例示して説明し、左方枠部１４に配設される固定機構８０についての重複説明を省略する。ここで、図１２は図３中の矢印ＸＩＩ−ＸＩＩに沿った断面図であって遊技盤２０を収容枠１０に収容して化粧板２１を固定した状態における固定機構８０の平断面図、図１３は図１２中の矢印ＸＩＩＩ方向に見た固定機構８０周辺の背面図である。
【００６２】
固定機構８０は、前枠２の裏面側から右方枠部１３に固定される支柱６１、支柱６１に揺動変位可能に支持される固定金具６５、仮止め金具６３および固定金具６５を前方に付勢するコイルバネ６６、支柱６１の後端部に形成された雄ネジ部に螺合締結されてコイルバネ６６を圧縮し仮止め金具６３および固定金具６５を前方に付勢させて取り付ける座付きの袋ナット６７などから構成され、仮止め金具６３を用いずに構成している点を除き、既述した仮支持固定機構６０と共通の部材を用いて同様に構成される。
【００６３】
また右方枠部１３には、化粧板２１の前面を支持する前面支持部１３ａが形成されるとともに、前枠前方から後方に延びて固定ボス１３ｃが形成されており、その中心に支柱６１のローレット部を受容して固定する支柱固定穴が形成されている。固定ボス１３ｃの後端位置（座面の形成位置）は、固定ボス１３ｃに支柱６１を圧入固定して固定機構８０を組み付けたときに、固定金具６５の押圧部６５ｃの前面位置が収容姿勢に位置させた化粧板２１の裏面の配設位置よりも幾分前方になるように設定され、押圧部６５ｃを化粧板２１に係合させたときに押圧部６５ｃが化粧板２１に乗り上げてわずかに後方に移動しコイルバネ６６の弾性力で化粧板を前方に押圧するように設定されている。
【００６４】
一方、化粧板２１の背後に閉鎖される裏セット盤３０には、固定位置にある押圧部６５ｃの配設位置に合わせて基枠体３１の枠部前端が一部切り欠かれ、押圧部６５ｃを受容する受容切り欠き部３１ｃが形成されている。また、化粧板２１にはクランプアーム６５ｂの揺動軌跡に合わせて化粧板２１の側端面がＵ字状に切り込まれてアーム受容部４３ａが形成されており、固定金具６５を回動させたときにクランプアーム６５ｂが化粧板２１の側端面に当接しないようになっている。
【００６５】
仮支持固定機構６０は、前枠２の裏面側から支柱６１の前端側のローレット部を固定ボス１３ｃの支柱固定穴に打ち込んで圧入固定させ、後方に突出する支軸部に固定金具６５のカラー６５ｋを挿通させ、後方からコイルバネ６６を係合させて支持させ、雄ネジ部に袋ナット６７を螺合させて締め付けることにより、固定金具６５がコイルバネ６６により所定の付勢力で前方に付勢されつつ支柱６１の軸まわりに一体的に揺動可能に取り付けられる。
【００６６】
こうして固定金具６５が取り付けられると、前枠２の裏面側からクランプレバー６５ｅを回動操作することで、押圧部６５ｃを収容枠の内方に突出させて収容姿勢に位置する化粧板２１を固定する固定位置（図１２、および図１３に実線で示す状態）と、収容枠の外方に待避させて化粧板２１との係合を解除する開放位置（図１３中に二点鎖線で付記する状態）とに揺動変位させることができる。
【００６７】
このように構成される固定機構８０の作用について、遊技盤２０を固定する場合から簡潔に説明すると、作業者は固定金具６５を開放位置に位置させて押圧部６５ｃを端面支持部１３ｂに沿うように収容枠外方に待避させ、既述した係止機構５０および仮支持固定機構６０を利用して遊技盤２０を収容姿勢で仮止め支持させた状態で、クランプレバー６５ｅに指をかけて固定金具６５を時計回りに回動操作する。
【００６８】
クランプレバー６５ｅが回動されると、クランプアーム６５ｂがアーム受容部４３ａ内に進入するとともに押圧部６５ｃが円弧軌跡を描いて枠部内方に揺動し、まず押圧部６５ｃの先端側に後方に緩やかに曲げ成形された曲面領域が化粧板２１の裏面と滑らかに係合する。さらにクランプレバー６５ｅが回動されると、押圧部基端側の平坦領域が化粧板２１に乗り上げるようにして係合し、コイルバネ６６を圧縮変形させながら支柱６１に沿ってわずかに後方に移動する。そして、固定金具のクランプレバー６５ｅが鉛直上方に延びる固定位置まで回動されると、固定金具の押圧部６５ｃがコイルバネ６６の弾性力で化粧板２１を前方に押圧して前面支持部１３ａとの間に化粧板２１を挟持し、遊技盤２０を収容枠１０に固定保持する。
【００６９】
こうして遊技盤２０が固定保持された前枠２の裏面側から裏セット盤３０を閉鎖する。基枠体３１には固定位置にある押圧部６５ｃを受容する受容切り欠き部３１ｃが形成されているため、固定金具６５が固定位置にセットされ遊技盤２０が的確に固定保持されたときには、基枠体３１の前端面を化粧板２１の裏面に当接させて閉鎖させることができる。一方、固定金具６５が固定位置まで完全に回動されていない不完全な固定状態では、押圧部６５ｃと受容切り欠き部３１ｃとが位置整合せず、裏セット盤３０を完全に閉鎖できないようになっている。このため過誤操作を未然に防止して遊技盤を確実に固定保持させることができる固定機構を構成している。
【００７０】
一方、収容枠１０に固定保持された遊技盤２０を取り外す際には、前枠後方からクランプレバー６５ｅを反時計回りに回動操作する。クランプレバー６５ｅが回動されると、固定金具の押圧部６５ｃが円弧軌跡を描いて上動し、曲面領域と係止面４１ｃとの係合が徐々に解除される。これに伴ってコイルバネ６６に付勢されている固定金具６５が固定ボス１３ｃの座面に当接する位置まで徐々に前方に移動する。そして、クランプレバー６５ｅが水平左方を向く開放位置まで揺動されると、押圧部６５ｃが端面支持部１３ｂに沿うように鉛直上方に延びて配設され、収容枠１０の外方に待避する。この状態では既述した仮支持固定機構６０により遊技盤２０が仮止め支持されており、遊技盤２０が収容枠１０から倒れ出て来たり滑り出て来るようなことがない。
【００７１】
そして、以上のようにして構成される遊技盤の固定装置は、遊技盤２０（化粧板２１）の下辺左右に係止機構５０，５０が設けられ、遊技盤２０の上辺中央部に仮支持固定機構６０が設けられて、遊技盤２０の下辺を基準とする二等辺三角形の固定形態が形成される。また、左右の固定機構８０，８０により遊技盤２０の左右の側辺部がこれに加えて固定され下辺を基準とする五角形の固定形態が形成される。このため、従来の左右枠部に設けられた固定機構のように上方枠部および下方枠部の中央部で遊技盤が浮き上がるようなことがなく、さらに左右枠部の固定機構を加えた五角形の固定形態により遊技盤２０を確実に収容枠に固定して安定性の高い固定機構を構成している。
【００７２】
なお、実施例では押圧部６５ｃが化粧板２１の裏面に係合して遊技盤を固定保持する例を示したが、既述した仮支持固定機構６０と同様に化粧板の裏面をザグリ加工して係止面（４１ｃ）を形成し、押圧部６５ｃや袋ナット６７などが収容姿勢に位置する化粧板２１の裏面よりも後方に突出しないように構成することができる。また、既述した仮支持固定機構６０と同様に仮止め金具６３を具備する形態とすることができるほか、上方枠部の固定機構に仮止め金具を設けずに左右の固定機構に仮支持金具を設ける構成としてもよい。
【００７３】
また、実施例では収容枠１０が前枠２の裏面側に一体に形成され、遊技盤２０を前枠２の後方から着脱する前枠後方着脱形態のパチンコ機ＰＭを例に説明したが、本発明はかかる着脱形態の遊技機に限るものではない。例えば、収容枠が裏セット盤の裏面側に設けられ、裏セット盤の後方から遊技盤を着脱する裏機構枠後方着脱形態の遊技機、あるいは、これらの各形態において収容枠が前枠や裏セット盤と別体に形成され、これを前枠または裏セット盤に組み付けることで収容枠が配設される遊技機などにおいても同様に構成し同様の効果を得ることができる。
【００７４】
【発明の効果】
以上説明したように、本発明では、所定の遊技領域が形成された遊技盤と、この遊技盤を着脱可能に収容する枠部材と、枠部材に収容されて収容姿勢に位置した遊技盤を枠部材に固定保持させる固定手段とを備え、遊技盤が固定手段により枠部材に固定された状態で遊技に供される遊技機にあって、固定手段に遊技盤の上部を固定する上部固定機構を備えて遊技盤の固定装置を構成する。上部固定機構には収容姿勢に位置した遊技盤の裏面側と係脱可能に係合して遊技盤を前方に押圧する押圧部材を有する一方、枠部材には押圧部材と対向して遊技盤の前面側を支持する前面支持部を有し、遊技盤の裏面側には当該遊技盤の裏面よりも前方に位置し押圧部材を受容して係合する係止面が形成されており、収容姿勢に位置した遊技盤が押圧部材により固定されたときに押圧部材を含む上部固定機構が遊技盤の裏面よりも前方に配設される。
【００７５】
上記構成の固定装置によれば、枠部材の上辺に遊技盤の上部を固定する上部固定機構が備えられており、この上部固定機構に設けられた押圧部材が収容姿勢に位置した遊技盤の裏面側の係止面と係脱可能に係合して遊技盤を前方に押圧し遊技盤の上辺中央部を固定する。このため、遊技盤の上辺中央部が枠部材から浮き上がるようなことがなく、遊技盤を安定確実に固定することができる。また、遊技盤の裏面側に形成された係止面は遊技盤の裏面よりも前方に位置して形成され、遊技盤が押圧部材により固定されたときに押圧部材を含む上部固定機構が遊技盤の裏面よりも前方に配設される。このため、遊技盤の背後に配設される裏機構枠等の構成を複雑化させたり遊技球の流下を妨げたりすることない固定装置を提供することができる。
【図面の簡単な説明】
【図１】本発明に係る遊技盤の固定装置を備える遊技機の一例として示すパチンコ機の正面図である。
【図２】上記パチンコ機の裏面側を示す背面図である。
【図３】上記パチンコ機から裏セット盤を取り外した状態の前枠の背面図である。
【図４】図３中の矢印ＩＶ−ＩＶ方向に見た係止機構の側面図である。
【図５】上記係止機構を収容枠の裏面側から見た斜視図である。
【図６】図３中の矢印ＶＩ−ＶＩに沿った断面図であり、遊技盤を収容枠に固定保持させた状態における仮支持固定機構近傍部の側断面図である。
【図７】仮支持固定機構の主要構成部材を分解状態で示す斜視図である。
【図８】遊技盤を収容枠に固定保持させた状態の仮支持固定機構の平面図である。
【図９】固定金具を開放位置に位置させ仮止め金具を仮止め位置に位置させて遊技盤を仮止め支持させた状態の仮支持固定機構の背面図である。
【図１０】固定金具を固定位置に位置させて遊技盤を固定保持させた状態の仮支持固定機構の背面図である。
【図１１】仮止め金具を仮止め位置に位置させて遊技盤を着脱させる過程を示す説明図（側断面図）である。
【図１２】図３中の矢印ＸＩＩ−ＸＩＩに沿った断面図であって遊技盤を収容枠に収容して化粧板を固定した状態における固定機構の平断面図である。
【図１３】図１２中の矢印ＸＩＩＩ方向に見た固定機構周辺の背面図である。
【符号の説明】
Ｂ１　メイン基板
Ｂ２　発射装置制御基板
Ｂ３　球払出制御基板
Ｂ４　ランプ・音声制御基板
Ｂ５　電源基板
ＰＡ　遊技領域
ＰＭ　パチンコ機
１　外枠
２　前枠
３ａ，３ｂ　ヒンジ機構
４　施錠装置
５　ガラス扉（５ａ，５ｂ　透明板材）
６　上球皿
７　下球皿
８　操作ハンドル
９　打球発射装置
１０　収容枠
１１　上方枠部（１１ａ　前面支持部、１１ｃ　固定ボス、１１ｅ　レバー収容部）
１２　下方枠部（１２ａ　前面支持部、１２ｂ　端面支持部、１２ｃ　ボス）
１３　右方枠部（１３ａ　前面支持部、１３ｂ　端面支持部、１３ｃ　固定ボス）
１４　左方枠部（１４ａ　前面支持部、１４ｂ　端面支持部）
１５　遊技補助盤
２０　遊技盤
２１　化粧板
２３　ランプ具
２４　案内レール（２４ａ　外レール、２４ｂ　内レール）
２５ａ，２５ｂ　風車
２６　入賞具（２６ａ　一般入賞具、２６ｂ　始動入賞具、２６ｃ　アタッカー）
２７　アウト口
２８　図柄表示装置
３０　裏セット盤
３１　基枠体（３１ｃ　受容切り欠き部、３１ｗ　窓口）
３２，３３　ヒンジ機構
３４　閉鎖レバー
３５　タンク部材
３６　整列樋部材
３７　賞球待機通路
３８　球払出装置
３９　賞球払出経路
４０　機構収容部
４１　機構係合部（４１ａ　被支持面、４１ｂ　案内面、４１ｃ　係止面、４１ｅ　導入面、４１ｆ　導出面）
４２ｅ　逃げ面
４３ａ　アーム受容部
５０　係止機構
５１　仮止め金具（５１ａ　固定辺部、５１ｂ　当接辺部、５１ｃ　係止辺部）５８　ネジ
６０　仮支持固定機構
６１　支柱
６３　仮止め金具（６３ａ　リング部、６３ｂ　揺動アーム部、６３ｃ　係止辺部、６３ｄ　中間辺部、６３ｅ　導入辺部）
６５　固定金具（６５ａ　ベース部、６５ｂ　クランプアーム、６５ｃ　押圧部、６５ｅ　クランプレバー、６５ｋ　カラー）
６６　コイルバネ
６７　袋ナット
８０　固定機構
【図１】
2004024297.tif 000003
【図２】
2004024297.tif 000004
【図３】
2004024297.tif 000005
【図４】
2004024297.tif 000006
【図５】
2004024297.tif 000007
【図６】
2004024297.tif 000008
【図７】
2004024297.tif 000009
【図８】
2004024297.tif 000010
【図９】
2004024297.tif 000011
【図１０】
2004024297.tif 000012
【図１１】
2004024297.tif 000013
【図１２】
2004024297.tif 000014
【図１３】
2004024297.tif 000015